(57)【特許請求の範囲】
【請求項１】
隣接する建造物の床相互間の目地に差し渡されて該目地を覆うカバー体と、該カバー体の一端に配設されたスライダーと、一方の床の側縁に配設されて前記スライダーを目地の長手方向に摺動可能に支持するレール部材とを備えた床用目地カバー装置において、
前記レール部材が、一方の床の側縁に当接した状態で保持される上下方向の導入縁部と、該導入縁部の下部から内側方に延出された受縁部と、該受縁部の先端から上方に延出された係止縁部とを備え、前記導入縁部の所定高さ位置に、前記係止縁部側に向けて下方傾斜する案内傾斜面部が設けられるとともに、前記係止縁部の上端に、前記案内傾斜面部に対応する高さ位置で前記導入縁部側に向けて突出する抜け止め縁部が設けられる一方、前記スライダーが、カバー体の一端から垂設された延成縁部と、該延成縁部の下端に連成されて前記レール部材の受縁部に支承され、その支承状態で前記抜け止め縁部と上下で対向する摺動縁部とからなることを特徴とする床用目地カバー装置。
【請求項２】
レール部材の案内傾斜面部が、導入縁部を曲成することにより設けられていることを特徴とする請求項１記載の床用目地カバー装置。
【請求項３】
レール部材の案内傾斜面部が、案内傾斜面を上部に備えた杆状部材を導入縁部の内側面に接合することにより設けられていることを特徴とする請求項１記載の床用目地カバー装置。
【請求項４】
スライダーが配設されたカバー体の一端に、該カバー体の上面から一方の床方向に延出されて、導入縁部とカバー体の端面との間に生ずる隙間を塞ぐ遮蔽板が配設されていることを特徴とする請求項１乃至請求項３の何れか１項に記載の床用目地カバー装置。
【発明の詳細な説明】
【技術分野】
【０００１】
本発明は、隣接する建造物の床相互間の目地を覆う床用目地カバー装置に関する。
【背景技術】
【０００２】
緩衝機能を備えた免震装置によって下部が支持された建物からなる建造物にあっては、地震時における水平方向の揺れが大きくなる傾向がある。このような免震構造の建造物の周囲には、隣接する人工地盤からなる建造物との間に、前記揺れを吸収し得る比較的広幅の目地が形成されており、かかる免震構造の建物の目地に好適に使用し得る床用目地カバー装置が、本願出願人によって先に出願されている（特許文献１参照）。
【０００３】
この床用目地カバー装置において、図９に示すように、隣接する建造物の床相互間の目地ｓに差し渡されて該目地ｓを覆うカバー体Ｃの一端にスライダーａを配設し、一方の建造物Ａの床ｆ1 の側縁に、前記スライダーａを目地ｓの長手方向に摺動可能に支持するレール部材ｂを配設した構成が提案されている。かかる構成にあっては、地震時に、隣接する建造物の床相互が前後方向（目地ｓの長手方向）に相対変位すると、レール部材ｂに支持されたスライダーａの摺動作用を介して、カバー体Ｃの一端が一方の床ｆ1 の側縁に沿って前後方向に摺動して、その相対変位に追従する。これにより、床用目地カバー装置を、カバー体Ｃの他端部の前後両側に壁等の立上がり部が形成されている場所に適用し得るようにしている。
【先行技術文献】
【特許文献】
【０００４】
【特許文献１】特開２００４−２７６３８号公報（図１０）
【発明の概要】
【発明が解決しようとする課題】
【０００５】
ところで、上記床用目地カバー装置にあっては、レール部材ｂが、一方の床の側縁ｃに当接した状態で保持される上下方向の導入縁部ｄと、該導入縁部ｄの下部から内側方に延出された受縁部ｅと、該受縁部ｅの先端から上方に延出された係止縁部ｇとによって、上方に開口した断面略Ｌ形に形成されており、角パイプからなるスライダーａが受縁部ｅに上方から乗載されているだけであるため、地震時の衝撃によって、カバー体Ｃが上下動するとスライダーａがレール部材ｂから外れ易いという問題点があった。
【０００６】
また、レール部材ｂの導入縁部ｄ及び係止縁部ｇと、スライダーａとの間の摺動間隙が比較的広く設定されており、レール部材ｂの受縁部ｅが水平であるため、施工時にカバー体Ｃの一端を導入縁部ｄに密着させておいても、カバー体Ｃ上を人や自動車が通行する際に生ずる振動によって、カバー体Ｃが次第にずれて、カバー体Ｃの一端と導入縁部ｄとの間に隙間ｈ（図９参照）ができてしまう。このため、見た目が悪く、また、該隙間ｈに砂やゴミ等の異物が入り込む虞があった。
【０００７】
本発明は、かかる従来の問題点を解消し得る床用目地カバー装置を提供することを目的とするものである。
【課題を解決するための手段】
【０００８】
本発明は、隣接する建造物の床相互間の目地に差し渡されて該目地を覆うカバー体と、該カバー体の一端に配設されたスライダーと、一方の床の側縁に配設されて前記スライダーを目地の長手方向に摺動可能に支持するレール部材とを備えた床用目地カバー装置において、前記レール部材が、一方の床の側縁に当接した状態で保持される上下方向の導入縁部と、該導入縁部の下部から内側方に延出された受縁部と、該受縁部の先端から上方に延出された係止縁部とを備え、前記導入縁部の所定高さ位置に、前記係止縁部側に向けて下方傾斜する案内傾斜面部が設けられるとともに、前記係止縁部の上端に、前記案内傾斜面部に対応する高さ位置で前記導入縁部側に向けて突出する抜け止め縁部が設けられる一方、前記スライダーが、カバー体の一端から垂設された延成縁部と、該延成縁部の下端に連成されて前記レール部材の受縁部に支承され、その支承状態で前記抜け止め縁部と上下で対向する摺動縁部とからなることを特徴とする床用目地カバー装置である。
【０００９】
ここで、上記構成は、カバー体の他端部を自由端部とし、該自由端部が他方の建造物の床側縁上に少なくとも目地幅方向に摺動可能に乗載される床用目地カバー装置に好適に適用される。
【００１０】
前記床用目地カバー装置にあって、レール部材の案内傾斜面部が、導入縁部を曲成することにより設けられている構成が提案される。
【００１１】
また、レール部材の案内傾斜面部が、案内傾斜面を上部に備えた杆状部材を導入縁部の内側面に接合することにより設けられている構成が提案される。
【００１２】
また、スライダーが配設されたカバー体の一端に、該カバー体の上面から一方の床方向に延出されて、導入縁部とカバー体の端面との間に生ずる隙間を塞ぐ遮蔽板が配設されている構成が提案される。
【発明の効果】
【００１３】
本発明は、上述したように、目地を覆うカバー体の一端に配設されたスライダーを目地の長手方向に摺動可能に支持するレール部材が、一方の床の側縁に当接した状態で保持される上下方向の導入縁部と、該導入縁部の下部から内側方に延出された受縁部と、該受縁部の先端から上方に延出された係止縁部とを備え、前記導入縁部の所定高さ位置に、前記係止縁部側に向けて下方傾斜する案内傾斜面部が設けられるとともに、前記係止縁部の上端に、前記案内傾斜面部に対応する高さ位置で前記導入縁部側に向けて突出する抜け止め縁部が設けられる一方、前記スライダーが、カバー体の一端から垂設された延成縁部と、該延成縁部の下端に連成されて前記レール部材の受縁部に支承され、その支承状態で前記抜け止め縁部と上下で対向する摺動縁部とからなるものであるから、カバー体の一端に配設されたスライダーをレール部材に支持させるに際して、スライダーを上方からレール部材の導入縁部に沿って下降させていくと、先ずスライダーの摺動縁部の外側縁がレール部材の導入縁部の案内傾斜面部に当接し、さらに下降させるとその下降に伴って、下方傾斜している案内傾斜面部の案内作用を介して摺動縁部が次第に内側方に移動してゆき、最終的に該摺動縁部がレール部材の受縁部に支承される。そして、この支承状態にあっては、摺動縁部がレール部材の抜け止め縁部と上下で対向しているため、地震時の衝撃によってカバー体が上下動した場合に、摺動縁部が抜け止め縁部に下方から衝当することにより、抜け止め作用が得られ、スライダーがレール部材から容易に外れることを防止することができる。
【００１４】
前記レール部材の案内傾斜面部が、導入縁部を曲成することにより設けられている構成にあっては、案内傾斜面部を設けるための別部材を用いることなく、導入縁部に案内傾斜面部を一体形成することができるため、レール部材の部品構成を単一化することができる。
【００１５】
また、前記レール部材の案内傾斜面部が、案内傾斜面を上部に備えた杆状部材を導入縁部の内側面に接合することにより設けられている構成にあっては、導入縁部に対する曲成加工を行うことなく、導入縁部に案内傾斜面部を比較的容易に設けることができる。
【００１６】
また、スライダーが配設されたカバー体の一端に、該カバー体の上面から一方の床方向に延出されて、導入縁部とカバー体の端面との間に生ずる隙間を塞ぐ遮蔽板が配設されている構成にあっては、導入縁部とカバー体の端面との間の隙間を遮蔽板によって塞ぐことができるため、外的美観が向上するとともに、該隙間への砂やゴミ等の異物の侵入を防止することができる。
【図面の簡単な説明】
【００１７】
【図１】第一実施例にかかる床用目地カバー装置の施工状態を示す側断面図である。
【図２】同上の床用目地カバー装置の施工状態を示す平面図である。
【図３】カバー天板８の傾斜部１２部分の拡大側断面図である。
【図４】保持手段６の部分拡大図である。
【図５】スライダー１６をレール部材１７に支持させる手順を示す説明図である。
【図６】図５に続く手順を示す説明図である。
【図７】第二実施例にかかる保持手段６の部分拡大図である。
【図８】第三実施例にかかる保持手段６の部分拡大図である。
【図９】従来構成の側断面図である。
【発明を実施するための形態】
【００１８】
以下に、本発明の第一実施例を、図１〜図６に基づいて説明する。
図面において、Ａは緩衝機能を備えた免震装置（図示省略）によって下部が支持された免震構造の建物からなる建造物、Ｂは該建造物Ａの周囲に形成された人工地盤からなる建造物であって、目地ｓを介して隣接している。目地ｓは、建造物Ａの周囲に沿って所定幅で形成され、地震時における建造物Ａと周囲の建造物Ｂとの水平方向の相対的な揺れを吸収し得るようになっている。
【００１９】
前記建造物Ｂの床ｆ2 の側縁には、図１，図２において左右方向（目地ｓの幅方向）に比較的長い水平受板２と、該水平受板２の上部を覆う端部カバー板３とを備えた摺動受枠体１が配設されている。水平受板２と端部カバー板３は、後述するカバー体Ｃの自由端部の厚みに略一致する間隔で上下に対設されており、該水平受板２と端部カバー板３間に生じる空隙をカバー体Ｃの自由端部が進退作動し得る作動空隙２９としている。また、端部カバー板３の後端は水平受板２の後端に設けられた立ち上がり支持縁２ａに螺子４で連結されている。端部カバー板３は、建造物Ｂの床ｆ2 と同一高さとなるように配設されており、該端部カバー板３の上面には、建造物Ａの床ｆ1 及び建造物Ｂの床ｆ2 上に貼設される化粧シート５ａと同じ化粧シート５ｂが貼設されている。また、摺動受枠体１は、図２に示すように、カバー体Ｃを配置した状態において、目地ｓに沿うカバー体Ｃの前後幅に対応する所定の幅で形成されている。
【００２０】
建造物Ａの床ｆ1 と建造物Ｂの床ｆ2 の間には、カバー体Ｃが差し渡され、目地ｓを覆っている。該カバー体Ｃは、図１に示すように、その一端の下部が建造物Ａの床ｆ1 の側縁に後述する保持手段６を介して目地ｓの幅方向に移動不能に保持され、他端部を自由端部としており、該自由端部が前記摺動受枠体１内に挿入された状態で水平受板２上に摺動可能に乗載されている。また、該自由端部には摺動受枠体１の端部カバー板３が載置されている。ここで、建造物Ｂの床ｆ2 の側縁には、図２に示すように、カバー体Ｃの前後方向（目地ｓの長手方向）の側傍に建造物Ｂを構成する壁等の立ち上がり部７，７が形成されており、該立ち上がり部７，７がカバー体Ｃの側縁に夫々当接することによって、カバー体Ｃの自由端部が前後方向（目地ｓの長手方向）に移動不能に位置規制されている。これにより、カバー体Ｃの自由端部は建造物Ｂ側において左右方向（目地ｓの幅方向）にのみ摺動し得るようになっている。
【００２１】
また、摺動受枠体１の作動空隙２９内には伸縮可能に構成された複数の伸縮性支持杆２８が配設されており、該伸縮性支持杆２８によって端部カバー板３を下方から支持するようにしている。各伸縮性支持杆２８の一端はカバー体Ｃの先端に連結され、他端は水平受板２の立ち上がり支持縁２ａに連結されており、これによってカバー体Ｃの摺動に伴って各伸縮性支持杆２８が伸縮するようになっている。
【００２２】
カバー体Ｃの自由端部は、地震のない定常状態において、図１に示すように、前記水平受板２の長さの目地ｓ側から略半分程度の位置まで水平受板２上に乗載されている。これにより、地震時に、建造物Ａと建造物Ｂとが離近する方向に相対変位すると、カバー体Ｃの自由端部が水平受板２上を左右方向（目地ｓの幅方向）に摺動してその相対変位に追従し得るようになっている。
【００２３】
前記カバー体Ｃは、矩形状のカバー天板８と該カバー天板８の下面に接合された複数の補強杆９とによって構成されている。各補強杆９は、図３に示すように、夫々底板部１０と該底板部１０の幅方向両側縁から上方に立ち上げられた一対の側板部１１とによって断面コ字形に形成されており、該側板部１１の上端縁がカバー天板８の下面に溶接を介して接合されて、カバー天板８の前後方向（目地ｓの長手方向）に所定間隔で配設されている。ここで、図３に示すように、摺動受枠体１の水平受板２に乗載されるカバー体Ｃの自由端部に対応する各補強杆９の側板部１１の上端縁は、上述した端部カバー板３の厚み分だけ低くなるように形成されており、該側板部１１の上端縁の高位側から低位側へ傾斜させたカバー天板８の傾斜部１２を介して、低位側のカバー天板８を端部カバー板３の下部に重ね合わせることにより、端部カバー板３の上面とカバー天板８の非重ね合わせ部８ａの上面とが同一高さとなるようにしている。また、このカバー天板８の非重ね合わせ部８ａの上面には、端部カバー板３の上面に貼設される化粧シート５ｂと同じ化粧シート５ｃが貼設されている。
【００２４】
次に、本発明の要部にかかる前記保持手段６について説明する。
保持手段６は、カバー体Ｃの一端の下部に配設されたスライダー１６と、建造物Ａの床ｆ1 の側縁に配設されて前記スライダー１６を目地ｓの長手方向に摺動可能に支持するレール部材１７とによって構成されている。
【００２５】
レール部材１７は、図４に示すように、建造物Ａの床ｆ1 の側縁に当接した状態で保持される上下方向の導入縁部１７ａと、該導入縁部１７ａの下部から内側方に延出された受縁部１７ｂと、該受縁部１７ｂの先端から上方に延出された係止縁部１７ｃとを備えており、さらに、前記導入縁部１７ａの所定高さ位置に、前記係止縁部１７ｃ側に向けて下方傾斜する案内傾斜面部１８が設けられるとともに、前記係止縁部１７ｃの上端に、前記案内傾斜面部１８に対応する高さ位置で前記導入縁部１７ａ側に向けて突出する抜け止め縁部１９が設けられている。この第一実施例にあっては、前記案内傾斜面部１８が、金属板からなる導入縁部１７ａを曲成することにより設けられており、このように、導入縁部１７ａを曲成することによって案内傾斜面部１８を設けることにより、案内傾斜面部１８を設けるための別部材を用いることなく、導入縁部１７ａに案内傾斜面部１８を一体形成しており、これによってレール部材１７の部品構成を単一化するようにしている。
【００２６】
一方、スライダー１６は、カバー体Ｃの一端から垂設された延成縁部１６ａと、該延成縁部１６ａの下端に連成された摺動縁部１６ｂとからなる。該摺動縁部１６ｂは、前記レール部材１７の受縁部１７ｂに支承されるものであり、その支承状態で前記抜け止め縁部１９と上下で対向するようになっている。尚、スライダー１６は、カバー体Ｃのカバー天板８の端縁を下方に延出させることにより、カバー天板８と一体形成されているが、図７に示すように、スライダー１６を別体形成してカバー体Ｃに接合することも可能である。
【００２７】
レール部材１７は、スライダー１６が前後方向（目地ｓの長手方向）に摺動し得るように所定の長さに形成されている。前記係止縁部１７ｃは、スライダー１６の摺動縁部１６ｂの内側縁に当接して該スライダー１６の脱落を防止し、かつ該スライダー１６を前後方向に案内するガイド手段となっている。また、レール部材１７の受縁部１７ｂ上には、上面にフッ素樹脂コーティング等の滑性面を形成した薄板状の滑性部材２０が被着されており、該滑性部材２０の滑性作用によって、スライダー１６の摺動が容易となるようにしている。
【００２８】
前記レール部材１７は、断面Ｌ形の取付フランジ２１と溶接等の固着手段を介して一体化されている。そして、該取付フランジ２１を建造物Ａの側縁に植設された複数のアンカーボルト２３にナット２４で夫々固定することにより、該取付フランジ２１と一体化されたレール部材１７を建造物Ａの床ｆ1 の側縁に取付けるようにしている。また、該レール部材１７は、スライダー１６を支持した状態において、建造物Ａ側のカバー体Ｃの端部上面が建造物Ａの床ｆ1 の上面と略面一となる高さ位置に取付けられる。
【００２９】
また、スライダー１６が配設されたカバー体Ｃの一端には、該カバー体Ｃの上面から建造物Ａの床ｆ1 方向に所定長さで延出された遮蔽板２５が配設されており、該遮蔽板２５によって、レール部材１７の導入縁部１７ａとカバー体Ｃの端面との間に生ずる隙間２６を塞ぐようにしている。このように、遮蔽板２５によって隙間２６を塞ぐことにより、外的美観が向上するとともに、該隙間２６への砂やゴミ等の異物の侵入を防止することができる。
【００３０】
かかる構成にあって、カバー体Ｃの一端に配設されたスライダー１６をレール部材１７に支持させるに際して、図５（Ａ）に示すように、スライダー１６を上方からレール部材１７の導入縁部１７ａに沿って下降させていくと、図５（Ｂ）に示すように、先ずスライダー１６の摺動縁部１６ｂの外側縁がレール部材１７の案内傾斜面部１８に当接し、さらに下降させるとその下降に伴って、図６（Ａ）に示すように、下方傾斜している案内傾斜面部１８の案内作用を介して摺動縁部１６ｂが次第に内側方に移動してゆき、図６（Ｂ）に示すように、案内傾斜面部１８の下端を過ぎると落下して最終的に摺動縁部１６ｂがレール部材１７の受縁部１７ｂに支承される状態が得られる（図４参照）。そして、この支承状態にあっては、摺動縁部１６ｂがレール部材１７の抜け止め縁部１９と上下で対向しているため、地震時の衝撃によってカバー体Ｃが上下動した場合に、図４に鎖線で示すように、摺動縁部１６ｂが抜け止め縁部１９に下方から衝当することによって抜け止め作用が得られ、スライダー１６がレール部材１７から容易に外れることを防止することができる。
【００３１】
また、建造物Ａと、隣接する建造物Ｂとが前後方向（目地ｓの長手方向）に相対変位すると、図２に示すように、カバー体Ｃの自由端部が建造物Ｂの立ち上がり部７，７によって位置規制されていることにより、カバー体Ｃの建造物Ａ側の端部が、レール部材１７に支持されたスライダー１６の摺動作用を介して前後方向に摺動し、カバー体Ｃをその相対変位に追従させることができる。
【００３２】
図７は、第二実施例を示し、この第二実施例では、レール部材１７の案内傾斜面部１８が、案内傾斜面１８ａを上部に備えた杆状部材２７を導入縁部１７ａの内側面に接合することにより設けられている。ここで、レール部材１７の導入縁部１７ａは上端から下部の受縁部１７ｂに至るまで垂直に形成されており、別体形成した杆状部材２７をその内側面に接合するようにしている。杆状部材２７は金属或いは硬質合成樹脂で形成されており、金属製とした場合には溶接またはネジ止めによって接合され、硬質合成樹脂製とした場合にはネジ止めまたは接着によって接合され得る。その他、第一実施例と共通する構成部分については、第一実施例と同一の符号を付して重複説明を省略する。
【００３３】
かかる構成にあっては、導入縁部１７ａに対する曲成加工を行うことなく、導入縁部１７ａに案内傾斜面部１８を比較的容易に設けることができる。
【００３４】
図８は、第三実施例を示し、この第三実施例は、レール部材１７の案内傾斜面部１８が、案内傾斜面１８ａを上部に備えた杆状部材２７を導入縁部１７ａの内側面に接合することにより設けられるとともに、取付フランジ２１（図７参照）を用いることなくレール部材１７を建造物Ａの床ｆ1 の側縁に取付けるようにしたものである。ここで、レール部材１７の導入縁部１７ａは上下方向に比較的長い帯板状に形成され、該導入縁部１７ａの下部に接合された接合縁部１７ｄの上端から内側方に受縁部１７ｂが延出されるとともに、該受縁部１７ｂの先端から上方に延出された係止縁部１７ｃの上端に、案内傾斜面部１８に対応する高さ位置で導入縁部１７ａ側に向けて突出する抜け止め縁部１９が設けられている。このレール部材１７は、導入縁部１７ａの下部と接合縁部１７ｄとの接合部分を建造物Ａの側縁に植設されたアンカーボルト２３にナット２４で固定することにより、建造物Ａの床ｆ1 の側縁に取付けられている。その他、第一実施例と共通する構成部分については、第一実施例と同一の符号を付して重複説明を省略する。
【００３５】
かかる構成にあっても、第一実施例と同様の抜け止め作用が得られ、スライダー１６がレール部材１７から容易に外れることを防止することができる。また、導入縁部１７ａに対する曲成加工を行うことなく、導入縁部１７ａに案内傾斜面部１８を比較的容易に設けることができるとともに、取付フランジ２１（図７参照）を用いることなくレール部材１７を建造物Ａの床ｆ1 の側縁に取付けることができる。
【００３６】
尚、本発明にかかる床用目地カバー装置は、免震装置によって下部が支持された免震構造の建造物以外の一般的な建造物にも適用することが可能である。
【符号の説明】
【００３７】
Ａ  建造物
Ｂ  建造物
Ｃ  カバー体
ｆ1，ｆ2  床
ｓ  目地
１６  スライダー
１６ａ  延成縁部
１６ｂ  摺動縁部
１７  レール部材
１７ａ  導入縁部
１７ｂ  受縁部
１７ｃ  係止縁部
１８  案内傾斜面部
１８ａ  案内傾斜面
１９  抜け止め縁部
２５  遮蔽板
２７  杆状部材
【図１】
0005416648.tif 000002
【図２】
0005416648.tif 000003
【図３】
0005416648.tif 000004
【図４】
0005416648.tif 000005
【図５】
0005416648.tif 000006
【図６】
0005416648.tif 000007
【図７】
0005416648.tif 000008
【図８】
0005416648.tif 000009
【図９】
0005416648.tif 000010